(57)【要約】【課題】通信システムを構成する通信装置及び通信経路の中から通信異常の被疑個所の特定を可能にする異常特定装置等の提供。【解決手段】異常特定装置は、通信路に供給される送信信号の適否を表す情報である第一情報を出力する第一出力部と、前記通信路を介して到達した前記送信信号に対応した受信信号の適否を表す情報である第二情報を出力する第二出力部と、前記受信信号に所定の処理を加えることにより得られた信号の適否を表す情報である第三情報を出力する第三出力部と、を備える。【選択図】      図５
2019080106.tif 000002
【特許請求の範囲】
【請求項１】
通信路に供給される送信信号の適否を表す情報である第一情報を出力する第一出力部と、
前記通信路を介して到達した前記送信信号に対応した受信信号の適否を表す情報である第二情報を出力する第二出力部と、
前記受信信号に所定の処理を加えることにより得られた信号の適否を表す情報である第三情報を出力する第三出力部と、
を備える異常特定装置。
【請求項２】
前記第一情報が前記送信信号の有無に係る情報であり、前記第二情報が前記受信信号の有無に係る情報である、請求項１に記載された異常特定装置。
【請求項３】
前記第三情報が、前記受信信号に、前記受信信号の受信先が、前記送信信号の送信元に対して送付した所定の送付信号への応答信号が含まれるかについてのものである、請求項１又は請求項２に記載された異常特定装置。
【請求項４】
前記第三出力部を、前記受信信号の受信先に備える、請求項１乃至請求項３のうちのいずれか一に記載された異常特定装置。
【請求項５】
前記第一出力部を、前記送信信号を送信した送信元と前記通信路とを接続する第一部品に備える、請求項１乃至請求項４のうちのいずれか一に記載された異常特定装置。
【請求項６】
前記第二出力部を、前記受信信号の受信先と前記通信路とを接続する第二部品に備える、請求項１乃至請求項５のうちのいずれか一に記載された異常特定装置。
【請求項７】
前記第一出力部は第一発光部を備え前記第一情報により前記第一発光部を第一期間発光させる、請求項１乃至請求項６のうちのいずれか一に記載された異常特定装置。
【請求項８】
前記第一発光部を前記第一期間発光させるための第一タイマーをさらに備える、請求項７に記載された異常特定装置。
【請求項９】
通信路に供給される送信信号の適否を表す情報である第一情報と、前記通信路を介して到達した前記送信信号に対応した受信信号の適否を表す情報である第二情報と、前記受信信号に所定の処理を加えることにより得られた信号の適否を表す情報である第三情報と、により異常被疑個所を特定する、特定方法。
【請求項１０】
前記第一情報が適を表し、前記第二情報が適を表し、前記第三情報が否を表す場合に、前記受信信号の受信先を前記異常被疑個所に特定し、前記第一情報が適を表し、前記第二情報が否を表す場合に、前記通信路を前記異常被疑個所に特定し、前記第一情報が否を表す場合に、前記送信信号の送信元を前記異常被疑個所に特定する、請求項９に記載された特定方法。
【発明の詳細な説明】
【技術分野】
【０００１】
本発明は通信システムにおける異常の有無を出力する装置に関する。
【背景技術】
【０００２】
二つの通信装置とそれら通信装置間を接続する光ファイバとを備える通信システムにおいて、光ファイバを通過する光の一部をとりだし、その強度等により通信状況の異常を検出する方法が知られている。
【０００３】
特許文献１は、光ファイバ増幅器への入力光のレベルが所定値以上であるか否かを監視し、光ファイバ増幅器への入力光のレベルが所定値より低下したことが検出されたことに応じて所定の警報信号を出力する光中継器を開示する。
【先行技術文献】
【特許文献】
【０００４】
【特許文献１】特開平０７−０３８５０６号公報
【発明の概要】
【発明が解決しようとする課題】
【０００５】
しかしながら、特許文献１が開示する方法では、通信状況の異常の原因が、通信装置の故障によるものか、あるいは、回線の断線等によるものか、が判別できない。そのため、通信装置と光回線とのうちの故障が生じていない部分も被疑個所として交換する無駄が生じ得る。
【０００６】
本発明は、通信システムを構成する通信装置及び通信経路の中から通信異常の被疑個所の特定を可能にする異常特定装置等の提供を目的とする。
【課題を解決するための手段】
【０００７】
本発明の異常特定装置は、通信路に供給される送信信号の適否を表す情報である第一情報を出力する第一出力部と、前記通信路を介して到達した前記送信信号に対応した受信信号の適否を表す情報である第二情報を出力する第二出力部と、前記受信信号に所定の処理を加えることにより得られた信号の適否を表す情報である第三情報を出力する第三出力部と、を備える。
【発明の効果】
【０００８】
本発明の異常特定装置等は、通信システムを構成する通信装置及び通信経路の中から通信異常の被疑個所の特定を可能にする。
【図面の簡単な説明】
【０００９】
【図１】本実施形態の通信システムの構成例を表す概念図である。
【図２】通信装置の構成例を表す概念図である。
【図３】通信部の構成例を表す概念図である。
【図４】光ファイバ部の構成例を表す概念図である。
【図５】図４に表す部品の構成例を表す概念図である。
【図６】本実施形態の通信システムの例を表す概念図である。
【図７】各ＬＥＤの点灯状況の組合せと異常被疑個所との関係を表す図である。
【図８】本実施形態の通信システムの具体例を表す概念図である。
【図９】実施形態の通信経路装置の最小限の構成を表す概念図である。
【発明を実施するための形態】
【００１０】
［構成と動作］
図１は、本実施形態の通信システムの例である通信システム１００の構成を表す概念図である。
【００１１】
通信システム１００は、通信装置１０１ａ及び１０１ｂと、光ファイバ部３０１とを備える。
【００１２】
通信装置１０１ａと通信装置１０１ｂとは、光ファイバ部３０１を介して通信を行う。
【００１３】
通信装置１０１ａ及び１０１ｂの一方は、例えば、ディスクシステムのホスト装置（管理装置）である。その場合において、通信装置１０１ａ及び１０１ｂの他方は、前記ディスクシステムのディスク装置である。
【００１４】
通信装置１０１ａ及び１０１ｂの各々の例は図２及び図３を参照して後述する。
【００１５】
光ファイバ部３０１は一対の光ファイバを備える。その光ファイバ対の一方の光ファイバは、通信装置１０１ａから通信装置１０１ｂに送付される光信号の経路である。また、前記光ファイバ対の他方の光ファイバは、通信装置１０１ｂから通信装置１０１ａに送付される光信号の経路である。光ファイバ部３０１の例は、図４及び図５を参照して後述する。
【００１６】
図２は、図１に表す通信装置１０１ａ及び１０１ｂの各々の例である通信装置１０１の構成を表す概念図である。
【００１７】
通信装置１０１は、処理部１０６と、通信部１１１と、出力部１３６とを備える。
【００１８】
通信部１１１は、信号処理部１１７と接続部１２１とを備える。
【００１９】
接続部１２１は、図１に表す光ファイバ部３０１の接続部（後述の図５に表す接続部３２１参照）と、嵌合等することにより接続される。
【００２０】
信号処理部１１７は、接続部１２１から送付された電気信号に所定の処理を行い、処理後の電気信号を処理部１０６に送付する。
【００２１】
信号処理部１１７は、処理部１０６から送付された電気信号に所定の処理を行い、処理後の電気信号を接続部１２１に送付する。
【００２２】
通信装置１０１が、前述のディスクシステムのホスト装置やディスク装置の場合、通信部１１１は、例えば、ホストバスアダプタカード（Ｈｏｓｔ  Ｂｕｓ  Ａｄａｐｔｅｒ  Ｃａｒｄ）である。
【００２３】
処理部１０６は、信号処理部１１７から接続部１２１へ送付した電気信号と接続部１２１から信号処理部１１７へ送付された電気信号とから、相手方通信装置との間で行われている通信に異常が生じているかについての判定を行う。処理部１０６は、当該判定を、例えば、相手方通信装置に送付した信号について受けるべき信号の送付を受けたか否かを判定することにより行う。
【００２４】
処理部１０６は、相手方通信装置との間で異常が生じていることを判定した場合は、出力部１３６に、当該判定結果を表す情報の出力を指示する。
【００２５】
出力部１３６は、処理部１０６からの指示に従い、指示された情報を出力する。出力部１３６は、例えば、ディスプレイ等の表示部やＬＥＤ等の発光部である。ここで、ＬＥＤは、Ｌｉｇｈｔ  Ｅｍｉｔｔｉｎｇ  Ｄｉｏｄｅの略である。
【００２６】
図３は、図２に表す通信部１１１の例である通信部１１１ａの構成を表す概念図である。
【００２７】
通信部１１１ａは、信号処理部１１７ａと、接続部１２１ａとを備える。
【００２８】
接続部１２１ａは、受光部１２２ａと発光部１２２ｂとを備える。受光部１２２ａと発光部１２２ｂとは部材１９１により接続部１２１ａに固定されている。
【００２９】
接続部１２１ａは、図１に表す光ファイバ部３０１の接続部（後述の図５に表す接続部３２１参照）と、嵌合等することにより接続される。
【００３０】
当該接続された状態で、受光部１２２ａは、光ファイバ部３０１の接続部の備える対応する光ファイバ（後述の図５に表す光ファイバ３０６ａｂ参照）から放出される光を受光し得る状態になる。また、当該接続された状態で、発光部１２２ｂは、光ファイバ部３０１の接続部の備える対応する光ファイバ（後述の図５に表す光ファイバ３０６ｂｂ参照）に光を入力し得る状態になる。
【００３１】
図４は、図１に表す光ファイバ部３０１の例である光ファイバ部３０１ａの構成を表す概念図である。
【００３２】
光ファイバ部３０１ａは、部品３１６ａ及び３１６ｂと、光ファイバ３０６ａ及び３０６ｂとを備える。
【００３３】
部品３１６ａは、接続部３２１ａと本体部３２２ａとを備える。
【００３４】
部品３１６ｂは、接続部３２１ｂと本体部３２２ｂとを備える。
【００３５】
部品３１６ａの接続部３２１ａは、図１に表す通信装置１０１ａの図２に表す接続部１２１に嵌合等により接続され得る。一方、部品３１６ｂの接続部３２１ｂは、図１に表す通信装置１０１ｂの図２に表す接続部１２１に嵌合等により接続され得る。
【００３６】
本体部３２２ａは、光ファイバ３０６ａから光信号が入力されると、その旨を表す情報を出力する。
【００３７】
本体部３２２ａは、光ファイバ３０６ｂに光信号が出力されると、その旨を表す情報を出力する。
【００３８】
本体部３２２ｂは、光ファイバ３０６ａに光信号が出力されると、その旨を表す情報を出力する。
【００３９】
本体部３２２ｂは、また、光ファイバ３０６ｂから光信号が入力されると、その旨を表す情報を出力する。
【００４０】
図５は、図４に表す部品３１６ａ及び３１６ｂの各々の例である、部品３１６の構成を表す概念図である。
【００４１】
部品３１６は、光ファイバ３０６ａｂ、３０６ｂｂ、３０７ａ及び３０７ｂと、光分岐部３２６ａ及び３２６ｂと、受光部３４１ａ及び３４１ｂと、処理部３３６ａ及び３３６ｂと、表示部３２８ａ及び３２８ｂとを備える。なお、図５に表す光ファイバ３０６ａａは、図４に表す光ファイバ３０６ａ及び３０６ｂのうちの、光信号が部品３１６に入力される方のものである。また、図５に表す光ファイバ３０６ｂａは、図４に表す光ファイバ３０６ａ及び３０６ｂのうちの、光信号が部品３１６から出力される方のものである。
【００４２】
光分岐部３２６ａは、光ファイバ３０６ａａから入力された光の一部を、光ファイバ３０７ａを通じて受光部３４１ａに入力する。光ファイバ３０６ａａから入力された光の残りは、光ファイバ３０６ａｂに入力される。
【００４３】
光ファイバ３０６ａｂの端部３０８ａ近傍と光ファイバ３０６ｂｂの端部３０８ｂ近傍とは、部材３９１により接続部３２１に固定されている。
【００４４】
光ファイバ３０６ａｂに入力された光は、端部３０８ａから出力される。端部３０８ａから出力された光は、接続部３２１が図３に表す接続部１２１ａと接続された状態では、受光部１２２ａに入力される。
【００４５】
一方、接続部３２１が図３に表す接続部１２１ａと接続された状態では、発光部１２２ｂから出力された光は、端部３０８ｂから光ファイバ３０６ｂｂに入力される。光ファイバ３０６ｂｂに入力された光は、光ファイバ３０６ｂｂを通じて光分岐部３２６ｂに入力される。
【００４６】
光分岐部３２６ｂは、端部Ｄから入力された光の一部を、光ファイバ３０７ｂを介して受光部３４１ｂに入力する。光分岐部３２６ｂは、残りの光を光ファイバ３０６ｂａに入力する。
【００４７】
受光部３４１ａは、光ファイバ３０７ａを通じて光分岐部３２６ａから送付された光信号を電気信号に変換する。受光部３４１ａは、変換した電気信号を処理部３３６ａに入力する。なお、以下において、受光部３４１ａを第二検出部ということもある。
【００４８】
処理部３３６ａは、受光部３４１ａから電気信号が送付されると表示部３２８ａに対し、電気信号の送付があった旨を表す情報の、その電気信号の送付の時点から一定時間の表示を指示する。処理部３３６ａは、当該一定時間、電気信号の送付があった旨を表す情報を表示させるための、タイマーを備えている。なお、以下において、処理部３３６ａを第二導出部ということもある。
【００４９】
表示部３２８ａは、処理部３３６ａからの指示に従い、指示された情報を表示する。表示部３２８ａは、例えば、ディスプレイやランプである。
【００５０】
受光部３４１ｂは、光ファイバ３０７ｂを通じて光分岐部３２６ｂから送付された光信号を電気信号に変換する。受光部３４１ｂは、変換した電気信号を処理部３３６ｂに入力する。なお、以下において、受光部３４１ｂを第一検出部ということもある。
【００５１】
処理部３３６ｂは、受光部３４１ｂから電気信号が送付されると表示部３２８ｂに対し、電気信号の送付があった旨を表す情報の、その電気信号の送付の時点から一定時間の表示を指示する。処理部３３６ｂは、電気信号の送付があった旨を表す情報を一定時間表示させるための、タイマーを備えている。なお、以下において、処理部３３６ｂを第一導出部ということもある。
【００５２】
表示部３２８ｂは、処理部３３６ｂからの指示に従い、指示された情報を表示する。表示部３２８ｂは、例えば、ディスプレイやランプである。
【００５３】
以上により、部品３１６は、光ファイバ３０６ａａから部品３１６への光信号の入力があると表示部３２８ａがその旨を表す情報を表示する。また、部品３１６は、光ファイバ３０６ｂａへ部品３１６から光信号の出力があると表示部３２８ｂがその旨を表す情報を表示する。
【００５４】
次に本実施形態の通信システムを利用した異常個所特定方法について説明する。
【００５５】
図６は、本実施形態の通信システムの例である通信システム１００ａを表す概念図である。
【００５６】
通信システム１００ａは、通信装置１０１ａ及び１０１ｂと、光ファイバ部３０１とを備える。
【００５７】
通信装置１０１ａはＬＥＤ１３６ａを備える。ＬＥＤ１３６ａは、通信装置１０１ａにおける図２に表す出力部１３６の例である。すなわち、ＬＥＤ１３６ａは、通信装置１０１ａにおいて、通信装置１０１ｂとの間での通信に異常を検出した場合には、その旨を表す情報を表示する。ここで、当該情報は、ＬＥＤ１３６ａの点灯であるものとする。
【００５８】
通信装置１０１ｂはＬＥＤ１３６ｂを備える。ＬＥＤ１３６ｂは、通信装置１０１ｂにおける図２に表す出力部１３６の例である。すなわち、ＬＥＤ１３６ｂは、通信装置１０１ｂにおいて、通信装置１０１ａとの間での通信に異常を検出した場合には、その旨を表す情報を表示する。ここで、当該情報は、ＬＥＤ１３６ｂの点灯であるものとする。
【００５９】
なお、以下の説明では、本体部及び本体部と通信装置との接続には異常が生じていないことを前提としている。
【００６０】
光ファイバ部３０１は、本体部３２２ａ及び３２２ｂと、光ファイバ３０６ａ及び３０６ｂとを備える。
【００６１】
光ファイバ３０６ａ及び３０６ｂは、図４に表す光ファイバ３０６ａ及び３０６ｂである。
【００６２】
本体部３２２ａ及び３２２ｂは、図４に表す本体部３２２ａ及び３２２ｂである。
【００６３】
本体部３２２ａは、ＬＥＤ３２７ａａ及び３２７ａｂを備える。ＬＥＤ３２７ａａは、本体部３２２ａにおける図５に表す表示部３２８ａの例である。ＬＥＤ３２７ａｂは、本体部３２２ａにおける図５に表す表示部３２８ｂの例である。
【００６４】
本体部３２２ｂは、ＬＥＤ３２７ｂａ及び３２７ｂｂを備える。ＬＥＤ３２７ｂａは、本体部３２２ｂにおける図５に表す表示部３２８ｂの例である。ＬＥＤ３２７ｂｂは、本体部３２２ｂにおける図５に表す表示部３２８ａの例である。
【００６５】
まず、通信システム１００ａにおいて、ＬＥＤ１３６ａは消灯しておりＬＥＤ１３６ｂは点灯している場合を第一ケースとして想定する。前記第一ケースは、通信装置１０１ｂは通信異常を検出しているが、通信装置１０１ａは通信異常を検出していない場合である。
【００６６】
そして、前記第一ケースにおいて、ＬＥＤ３２７ａａ乃至３２７ｂｂがすべて点灯しているものとする。
【００６７】
この場合、ＬＥＤ３２７ｂｂが点灯していることから、通信装置１０１ａから本体部３２２ｂまでの通信は行われていると判断し得る。そのため、通信装置１０１ａの送信に関する部分及び通信装置１０１ａから本体部３２２ｂまでの通信経路は異常の被疑個所から除外し得る。
【００６８】
また、ＬＥＤ３２７ａａが点灯していることから、通信装置１０１ｂから本体部３２２ａまでの通信は行われていると判断し得る。そのため、通信装置１０１ｂの送信に関する部分及び通信装置１０１ｂから本体部３２２ａまでの通信経路は異常の被疑個所から除外し得る。
【００６９】
また、ＬＥＤ１３６ａは消灯していることから、通信装置１０１ａの受信部分は被疑個所から除外し得る。
【００７０】
以上により、この場合は、通信装置１０１ｂの受信部分を被疑個所として特定し得る。
【００７１】
また、前記第一ケースにおいて、ＬＥＤ３２７ａａ及び３２７ｂａは消灯しており、ＬＥＤ３２７ａｂ及び３２７ｂｂが点灯しているものとする。
【００７２】
この場合、通信装置１０１ａから光ファイバ３０６ｂを通じての通信装置１０１ｂへの通信は行われていると判断し得る。そのため、通信装置１０１ａの送信に関する部分及び通信装置１０１ａから本体部３２２ｂまでの通信経路は異常被疑個所から除外し得る。
【００７３】
また、ＬＥＤ３２７ｂａは消灯していることから、通信装置１０１ｂの送信部分を被疑個所として特定し得る。
【００７４】
また、前記第一ケースにおいて、ＬＥＤ３２７ａａ及び３２７ｂａは点灯しており、ＬＥＤ３２７ａｂ及び３２７ｂｂが消灯しているものとする。
【００７５】
この場合、通信装置１０１ｂから光ファイバ３０６ａを通じての通信装置１０１ａへの通信は行われていると判断し得る。そのため、通信装置１０１ｂの送信に関する部分及び通信装置１０１ｂから本体部３２２ａまでの通信経路は異常被疑個所から除外し得る。
【００７６】
また、この場合、通信装置１０１ａから光ファイバ３０６ｂへの光信号の入力が行われていないと判断し得る。そのため、通信装置１０１ａの送信部分が異常被疑個所として特定され得る。
【００７７】
また、前記第一ケースにおいて、ＬＥＤ３２７ａｂが点灯しＬＥＤ３２７ｂｂは消灯しているとする。この場合、光ファイバ３０６ｂ内で光信号の送付が途切れていると判断し得る。そのため、光ファイバ３０６ｂが異常被疑個所として特定され得る。
【００７８】
次に、通信システム１００ａにおいて、ＬＥＤ１３６ａは点灯しておりＬＥＤ１３６ｂは消灯している場合を第二ケースとして想定する。前記第二ケースは、通信装置１０１ａが通信異常を検出しているが、通信装置１０１ｂは通信異常を検出していない場合である。
【００７９】
そして、前記第二ケースにおいて、ＬＥＤ３２７ａａ乃至３２７ｂｂのすべてが点灯しているとする。
【００８０】
その場合、ＬＥＤ３２７ａａが点灯していることから、通信装置１０１ｂから本体部３２２ａまでの通信は行われていると判断し得る。従い、通信装置１０１ｂの送信に係る部分と光ファイバ３０６ａとは異常被疑個所から除外することができる。
【００８１】
また、その場合、ＬＥＤ３２７ｂｂが点灯していることから、通信装置１０１ａから本体部３２２ｂまでの通信は行われていると判断し得る。従い、通信装置１０１ａの送信に係る部分と光ファイバ３０６ｂとは異常被疑個所から除外することができる。
【００８２】
以上により、通信装置１０１ａの受信部分を被疑個所として特定し得る。
【００８３】
また、前記第二ケースにおいて、ＬＥＤ３２７ａａ及び３２７ｂａが点灯し、ＬＥＤ３２７ａｂ及び３２７ｂｂが消灯している場合を想定する。その場合、通信装置１０１ａから本体部３２２ａまでの通信は行われていないことを判断し得る。そのため、通信装置１０１ａの送信部分が被疑個所として特定され得る。
【００８４】
また、前記第二ケースにおいて、ＬＥＤ３２７ｂａが点灯しＬＥＤ３２７ａａが消灯していたとする。その場合、光ファイバ３０６ａに切断が生じていることが判定され得る。そのため、光ファイバ３０６ａが異常被疑個所として特定され得る。
【００８５】
以上のように、通信装置１０１ａ及び１０１ｂの各々での異常検出結果と、各本体部における送信側及び受信側の光信号の通過状況を表す情報（ＬＥＤの点灯状況）との組合せにより、異常被疑個所が特定され得る。当該特定は、各通信装置の送信部及び受信部並びに各光ファイバの中から行われるものである。
【００８６】
図７は、図６に表す各ＬＥＤの点灯状況の組合せと異常被疑個所との関係を表す図である。図７に表す丸印は、その丸印が付与されたＬＥＤが点灯していることを表す。また、図７に表すばつ印は、そのばつ印が付与されたＬＥＤが消灯していることを表す。また、図７に表すハイフンは、そのハイフンが付与されたＬＥＤが点灯しているか消灯しているかの確認が不要であることを表す。図７が表す内容の説明は、図７により明らかなので省略する。
【００８７】
図８は、本実施形態の通信システムの具体例であるコンピュータシステム４００の構成を表す概念図である。
【００８８】
コンピュータシステム４００は、ホスト装置４０１とディスク装置５０１と光ケーブル部３０２とを備える。
【００８９】
ホスト装置４０１は、ホストコントローラ４０６とＨＢＡカード４１１とを備える。ここで、ＨＢＡは、Ｈｏｓｔ  Ｂｕｓ  Ａｄａｐｔｅｒの略である。
【００９０】
ディスク装置５０１は、ディスクコントローラ５０６と、ＨＢＡカード５１１と、ＳＡＳコントローラ５２１と、ハードディスクドライブ５２６とを備える。
【００９１】
光ケーブル部３０２は、ＳＦＰ４１６及び５１６と、光ケーブル３０７とを備える。ここで、ＳＦＰは、Ｓｍａｌｌ  Ｆｏｒｍ−ｆａｃｔｏｒ  Ｐｌｕｇｇａｂｌｅといわれる光モジュールである。
【００９２】
ホスト装置４０１は、図１に表す通信装置１０１ａ及び１０１ｂのいずれかの例である。その場合、ホストコントローラ４０６及びＨＢＡカード４１１は、この順に、図２に表す処理部１０６及び通信部１１１の例である。
【００９３】
ディスク装置５０１は、図１に表す通信装置１０１ａ及び１０１ｂのうちのホスト装置４０１でない方の例である。その場合、ディスクコントローラ５０６及びＨＢＡカード５１１は、この順に、図２に表す処理部１０６及び通信部１１１の例である。
【００９４】
光ケーブル部３０２は、図４に表す光ファイバ部３０１ａの例である。その場合、ＳＦＰ４１６及び５１６は、図３に表す接続部１２１ａの例である。また、光ケーブル３０７は、図４に表す光ファイバ３０６ａ及び３０６ｂの例である。
【００９５】
コンピュータシステム４００においては、ディスクコントローラ５０６がＳＡＳコントローラ５２１に送付する制御信号により、ＳＡＳコントローラ５２１によるハードディスクドライブ５２６の制御がコントロールされる。ここで、ＳＡＳは、Ｓｅｒｉａｌ  Ａｔｔａｃｈｅｄ  Ｓｍａｌｌ  Ｃｏｍｐｕｔｅｒ  Ｓｙｓｔｅｍ  Ｉｎｔｅｒｆａｃｅの略である。そして、ディスクコントローラ５０６は、ホストコントローラ４０６との間の通信によりホスト装置４０１により制御されている。当該通信は、ＨＢＡカード４１１及び５１１、及び、光ケーブル部３０２を介して行われる。
［効果］
本実施形態の通信システムは、各通信装置における通信異常の有無の出力と共に、光ケーブルの各通信装置との接続用の部品における光信号の到達の有無を出力する。前記と前記通信システムは、前記到達の有無の出力を、各通信装置との接続部における入力と出力とにおいて行う。通信異常の被疑個所や被疑個所から除外可能な個所は、前に説明したように、各通信装置における通信異常の有無と各接続用の部品における入力光信号及び出力光信号の有無を組み合わせて考えることにより特定し得る。すなわち、前記通信システムは、通信異常の被疑個所を各通信装置及び光ファイバの中から特定することを可能にする。
【００９６】
以上の説明では、各通信装置における通信異常の有無と各接続用の部品における入力光信号及び出力光信号の有無を組合せにより、人が異常被疑個所を特定する例について説明した。しかしながら、本実施形態の通信システムは、各通信装置における通信異常の有無と各接続用の部品における入力光信号及び出力光信号の有無とを表す出力信号の組合せにより、自動的に異常被疑個所を特定し、出力しても構わない。その場合は、前記通信システムは、当該出力のための出力部を備える。当該出力部は、例えば、表示部である。
【００９７】
図９は、実施形態の異常特定装置の最小限の構成である異常特定装置３０１ｘの構成を表すブロック図である。
【００９８】
異常特定装置３０１ｘは、第一出力部３２８ａａｘと、第二出力部３２８ｂａｘと、第三出力部１３６ａｘとを備える。
【００９９】
第一出力部３２８ａａｘは、通信路に供給される送信信号の適否を表す情報である第一情報を出力する。
【０１００】
第二出力部３２８ｂａｘは、前記通信路を介して到達した前記送信信号に対応した受信信号の適否を表す情報である第二情報を出力する。
【０１０１】
第三出力部１３６ａｘは、前記受信信号に所定の処理を加えることにより得られた信号の適否を表す情報である第三情報を出力する。
【０１０２】
前記第一情報が適を表し、前記第二情報が適を表し、前記第三情報が否を表す場合には、前記受信信号の受信先が前記異常被疑個所に特定され得る。
【０１０３】
前記第一情報が適を表し、前記第二情報が否を表す場合には、前記通信路が前記異常被疑個所に特定され得る。
【０１０４】
前記第一情報が否を表す場合には、前記送信信号の送信元が前記異常被疑個所に特定され得る。
【０１０５】
以上のように、各出力部の出力の組合せにより、前記第一通信装置、前記第二通信装置及び前記通信経路の中から、異常被疑個所が特定され得る。
【０１０６】
すなわち、異常特定装置３０１ｘは、通信システムを構成する通信装置及び通信経路の中から通信異常の被疑個所の特定を可能にする。
【０１０７】
そのため、異常特定装置３０１ｘは、前記構成により、［発明の効果］の項に記載した効果を奏する。
【０１０８】
なお、図９に表す第一出力部３２８ａａｘは、例えば、ＬＥＤ３２７ａｂ又はＬＥＤ３２７ｂａである。また、第二出力部３２８ｂａｘは、例えば、ＬＥＤ３２７ａａ又はＬＥＤ３２７ｂｂである。また、第三出力部１３６ａｘは、例えば、図６及び図７に表すＬＥＤ１３６ａ又はＬＥＤ１３６ｂである。
【０１０９】
以上、本発明の各実施形態を説明したが、本発明は、前記した実施形態に限定されるものではなく、本発明の基本的技術的思想を逸脱しない範囲で更なる変形、置換、調整を加えることができる。例えば、各図面に示した要素の構成は、本発明の理解を助けるための一例であり、これらの図面に示した構成に限定されるものではない。
【０１１０】
また、前記の実施形態の一部又は全部は、以下の付記のようにも記述され得るが、以下には限られない。
【０１１１】
（付記１）
通信路に供給される送信信号の適否を表す情報である第一情報を出力する第一出力部と、
前記通信路を介して到達した前記送信信号に対応した受信信号の適否を表す情報である第二情報を出力する第二出力部と、
前記受信信号に所定の処理を加えることにより得られた信号の適否を表す情報である第三情報を出力する第三出力部と、
を備える異常特定装置。
【０１１２】
（付記２）
前記第一情報が、前記送信信号の有無に係る情報である、付記１に記載された異常特定装置。
【０１１３】
（付記３）
前記第二情報が、前記受信信号の有無に係る情報である、付記１又は付記２に記載された異常特定装置。
【０１１４】
（付記４）
前記第三情報が、前記受信信号に、前記受信信号の受信先が、前記送信信号の送信元に対して送付した所定の送付信号への応答信号が含まれるかについてのものである、付記１乃至付記３のうちのいずれか一に記載された異常特定装置。
【０１１５】
（付記５）
前記第三出力部を、前記受信信号の受信先に備える、付記１乃至付記４のうちのいずれか一に記載された異常特定装置。
【０１１６】
（付記６）
前記第一出力部を、前記送信信号を送信した送信元と前記通信路とを接続する第一部品に備える、付記１乃至付記５のうちのいずれか一に記載された異常特定装置。
【０１１７】
（付記７）
前記第二出力部を、前記受信信号の受信先と前記通信路とを接続する第二部品に備える、付記１乃至付記６のうちのいずれか一に記載された異常特定装置。
【０１１８】
（付記８）
前記第一情報を導出する第一導出部に対し、前記送信信号の適否に係る検出結果を送付する第一検出部をさらに備える、付記１乃至付記７のうちのいずれか一に記載された異常特定装置。
【０１１９】
（付記９）
前記第二情報を導出する第二導出部に対し、前記送信信号の適否に係る検出結果を送付する第二検出部をさらに備える、付記１乃至付記８のうちのいずれか一に記載された異常特定装置。
【０１２０】
（付記１０）
前記第一検出部に対し、前記送信信号の一部を入力する第一分岐部をさらに備える、付記８に記載された異常特定装置。
【０１２１】
（付記１１）
前記第二検出部に対し、前記受信信号の一部を入力する第二分岐部をさらに備える、付記９に記載された異常特定装置。
【０１２２】
（付記１２）
前記第一出力部は第一発光部を備え前記第一情報により前記第一発光部を第一期間発光させる、付記１乃至付記１１のうちのいずれか一に記載された異常特定装置。
【０１２３】
（付記１３）
前記第一発光部を前記第一期間発光させるための第一タイマーをさらに備える、付記１２に記載された異常特定装置。
【０１２４】
（付記１４）
前記第二出力部は第二発光部を備え前記第二情報により前記第二発光部を第二期間発光させる、付記１乃至付記１３のうちのいずれか一に記載された異常特定装置。
【０１２５】
（付記１５）
前記第二発光部を前記第二期間発光させるための第二タイマーをさらに備える、付記１４に記載された異常特定装置。
【０１２６】
（付記１６）
前記第一期間と前記第二期間とが略等しい異常特定装置。
【０１２７】
（付記１７）
前記通信路が光経路である、付記１乃至付記１６のうちのいずれか一に記載された異常特定装置。
【０１２８】
（付記１８）
前記受信信号の受信先が前記通信路に供給する第二送信信号の適否を表す情報である第四情報を出力する第四出力部と、
前記送信信号の送信元に前記通信路を介して到達した前記第二送信信号に対応した第二受信信号の適否を表す情報である第五情報を出力する第五出力部と、
前記第二受信信号に所定の第二処理を加えることにより得られた信号の適否を表す情報である第六情報を出力する第六出力部と、
をさらに備える、付記１乃至付記１７のうちのいずれか一に記載された異常特定装置。
【０１２９】
（付記１９）
通信路に供給される送信信号の適否を表す情報である第一情報と、前記通信路を介して到達した前記送信信号に対応した受信信号の適否を表す情報である第二情報と、前記受信信号に所定の処理を加えることにより得られた信号の適否を表す情報である第三情報と、により異常被疑個所を特定する、特定方法。
【０１３０】
（付記２０）
前記第一情報が適を表し、前記第二情報が適を表し、前記第三情報が否を表す場合に、前記受信信号の受信先を前記異常被疑個所に特定する、付記１９に記載された特定方法。
【０１３１】
（付記２１）
前記第一情報が適を表し、前記第二情報が否を表す場合に、前記通信路を前記異常被疑個所に特定する、付記１９又は付記２０に記載された特定方法。
【０１３２】
（付記２２）
前記第一情報が否を表す場合に、前記送信信号の送信元を前記異常被疑個所に特定する、付記１９乃至付記２１のうちのいずれか一に記載された特定方法。
【符号の説明】
【０１３３】
１００    通信システム
１０１ａ、１０１ｂ    通信装置
１０６    処理部
１１１、１１１ａ    通信部
１１７、１１７ａ    信号処理部
１２１、１２１ａ    接続部
１２２ａ    受光部
１２２ｂ    発光部
１３６    出力部
１３６ａ、１３６ｂ、３２７ａａ、３２７ａｂ、３２７ｂａ、３２７ｂｂ    ＬＥＤ
１３６ａｘ    第三出力部
１９１、３９１    部材
３０１、３０１ａ    光ファイバ部
３０１ｘ    異常特定装置
３０６ａ、３０６ａａ、３０６ａｂ、３０６ｂ、３０６ｂａ、３０６ｂｂ、３０７ａ、３０７ｂ    光ファイバ
３０７    光ケーブル
３０８ａ、３０８ｂ    端部
３１６、３１６ａ、３１６ｂ    部品
３２１、３２１ａ、３２１ｂ    接続部
３２２、３２２ａ、３２２ｂ    本体部
３２８ａａｘ    第一出力部
３２８ｂａｘ    第二出力部
３２８ａ、３２８ｂ    表示部
３４１ａ、３４１ｂ    受光部
３３３ａ    発光部
３３６ａ、３３６ｂ    処理部
４００    コンピュータシステム
４０１    ホスト装置
４０６    ホストコントローラ
４１１、５１１    ＨＢＡカード
４１６    ＳＦＰ
５０１    ディスク装置
５０６    ディスクコントローラ
５２１    ＳＡＳコントローラ
５２６    ハードディスクドライブ
【図１】
2019080106.tif 000003
【図２】
2019080106.tif 000004
【図３】
2019080106.tif 000005
【図４】
2019080106.tif 000006
【図５】
2019080106.tif 000007
【図６】
2019080106.tif 000008
【図７】
2019080106.tif 000009
【図８】
2019080106.tif 000010
【図９】
2019080106.tif 000011